(57)【要約】【課題】従来の除去装置の課題を解決し，高効率の除去を可能とするアルデヒド類除去装置を提供する。【解決手段】散気筒を有する水槽に水を入れ、その中に大気を通過させることによって水溶性有機物を除去するアルデヒド類除去装置であって、１）水槽に、大気を圧送すること、２）水槽中の水を連続的に通液できること、３）多孔性材料からなる散気筒により水槽中に大気を分散できることにより、更に、効率的に水溶性有機物を除去出来るようにするものである。【選択図】          図１
2005007236.tif 000002
【特許請求の範囲】
【請求項１】
散気筒を有する水槽に大気を通過させることによって水溶性有機物を除去するアルデヒド類除去装置。
【請求項２】
散気筒に、大気を圧送する請求項１記載のアルデヒド類除去装置。
【請求項３】
水槽中の水を連続的に通液できる請求項１〜２記載のアルデヒド類除去装置。
【請求項４】
多孔性材料からなる散気筒により水槽中に大気を分散できる請求項１〜３記載のアルデヒド類除去装置。
【発明の詳細な説明】
【０００１】
【発明の属する分野】
本発明は、大気中の有害化学物質、特に水溶性の有機物、アルデヒド類を効果的に精製できる除去装置に関する。
【０００２】
【従来の技術】
有害化学物質（ホルムアルデヒド類，ＶＯＣｓ等）による大気汚染が引き起こされた場合，例えｐｐｂオーダの極微量であっても長期暴露によって慢性障害や発ガン等の重大な問題を引起こす恐れがある。また、近年社会問題としてクローズアップされているシック・ハウス症候群との関連が指摘されており住宅品質確保法、学校保険法、建築基準法等においても測定対象物質に挙げられる。シック・ハウス症候群とは、有害化学物質（ホルムアルデヒド類，ＶＯＣｓ等）が、建築材料、家庭用品、燃焼機器などから放散され、住宅の高気密化とあいまって、室内空気を汚染し、居住者が目、鼻、喉等の痛み、吐き気、めまい、さらには、喘息等の健康障害を生じる現象である。
このため、空気中から、有害化学物質（ホルムアルデヒド類，ＶＯＣｓ等）を除去する方法が検討されている。
一般的な方法は、活性炭等の吸着剤に捕集する方法である。高濃度（数ｐｐｍ程度）では比較的有効である。しかし、この方法は、吸着剤の交換，あるいは再生が必要であり、ランニングコストが高い。また、空気自体を、高温炉で燃焼させ有害化学物質を除く方法があり、この方法は、低濃度でも有効であるが、高価な設備投資が必要でかつ、ランニングコストも高い。
【０００３】
つぎに、微量有害化学物質を、二酸化マンガン等の酸化剤や、酸化チタン等の光触媒を用いて水と二酸化炭素に酸化・分解する方法がある。酸化剤を用いた場合は、酸化が水と二酸化炭素まで十分行なわれず、たとえば、ホルムアルデヒドの酸化による蟻酸の発生等、有害な二次体が発生する場合がある。酸化チタン等の光触媒を用いた場合は、光源等が十分確保できず、分解力が不足している場合が多い。
【０００４】
【本発明が解決しようとしている課題】
吸着剤に活性炭等を用いると、吸着剤の交換，あるいは再生が必要であり、高濃度（数ｐｐｍ程度）では比較的有効に除去できるが、数十ｐｐｂ程度の低濃度では、有効に除去できないという課題がある。
空気自体を、高温で燃焼させる場合は、低濃度でも有効であるが、ランニングコストが高くなる。
また、酸化剤や、光触媒を用いて分解する方法は、分解力不足と有害な２次体（例えばホルムアルデヒドの酸化による蟻酸の発生等）が発生する等の課題がある。
【０００５】
そこで，本発明は前記従来の除去装置の課題を解決し，高効率の除去を可能とするアルデヒド類除去装置を提供することにある。
【０００６】
【課題を解決するための手段】
（１）本発明は、散気筒を有する水槽に大気を通過させることによって水溶性有機物を除去するアルデヒド類除去装置に関する。
（２）また、本発明は、散気筒に、大気を圧送する（１）記載のアルデヒド類除去装置に関する。
（３）また、本発明は、水槽中の水を連続的に通液できる（１）〜（２）記載のアルデヒド類除去装置に関する。
（４）また、本発明は、多孔性材料からなる散気筒により水槽中に大気を分散できる（１）〜（３）記載のアルデヒド類除去装置に関する。
【０００７】
【発明の実施の形態】
本発明は、散気筒を有する水槽に水を入れ、その中に大気を通過させることによって水溶性有機物を除去するアルデヒド類除去装置であって、１）水槽に、大気を圧送すること、２）水槽中の水を連続的に通液できること、３）多孔性材料からなる散気筒により水槽中に大気を分散できることにより、更に、効率的に水溶性有機物を除去出来るようにするものである。
【０００８】
以下、本発明の実施形態を詳細に説明する。本発明の実施形態の基本的構成について，図１に一例を示すが、本発明はこれらに限定されるものではない。
【０００９】
基本構成例は、水導入管１，排水管２，水槽３，散気筒４，送気ポンプ５，大気導入管６，排気管７からなる。大気中から水溶性有機物，アルデヒド類を除去するしくみは、水槽３に水を入れ、大気を大気導入管６から、ポンプ５で取り込み、散気筒４に空気を圧送して、散気筒から水中に空気の泡を出し、水と接触することにより、空気中の水溶性有機物，アルデヒド類を水中に溶解させ、除去し、きれいな空気を排気管７から供給するものである。水槽には水導入管から水道水を連続的に供給し、排水管から排出するものである。
【００１０】
散気筒は、空気を細かく分散し、気泡を出すためのもので、気泡が細かいほど、水と気泡との接触面積が増え、効率良く、水溶性有機物を除去できる。散気筒は、１０μｍ〜２ｍｍの細孔を有し、気孔率が４０％以上のものが、気泡を効率良く細分化でき、水溶性有機物，アルデヒド類の除去率が高くなる。散気筒の材質は、特に限定しないが、さびにくく、細孔調節が容易なものが良く、例えば、ステンレスメッシュ，ポリエチレンやポリプロピレンの燒結フィルタ，ポリフロロエチレンの延伸フィルタなどが上げられる。
【００１１】
散気筒に、大気を圧送することが重要で、風速０．２〜５ｍ／ｓ程度が最も効率がよい。
大気を圧送するためには、ポンプやブロア−等の装置をもちいると定量的に送風できるので、便利であるが、これらの装置に限定するものではない。
【００１２】
さらに、水槽中の水を連続的に通液できるようにすると、連続使用しても、除去能力の低下がない、水の交換が不要である等の特長が得られる。また、排水管２と水導入管１の間、水槽外の部分に活性炭等の、水ろ過フィルタを入れて、循環させてもよい。この場合は、定期的に水ろ過フィルタのメンテナンスが必要である。
【００１３】
水槽に入れる水については、一般の水道水で問題がないが、必要に応じて、アルカリ，酸等の試薬を添加してもよい。
【００１４】
また、水槽、配管類は、空気を漏らさず、送風の圧力に耐えるものであれば限定しないが、アルデヒド類が発生しない材料を用いることが重要であり、例えば、ステンレス，ガラス、ポリエチレン，ポリプロピレン等を用いるとよい。
【００１５】
本発明により、高効率の除去を可能とするアルデヒド類除去装置を容易に提供することができる。
【００１６】
【実施例】
実施例１
５００ｍｌ水槽に、３００ｍｌ水道水を入れ、サンプリングポンプで０．５ｍ／ｓの風量で空気を、気孔５３％，細孔径５０μｍの長さ２ｃｍのポリエチレン製フィルタからなる散気筒に送り、水中でバブリングした。取り込んだ空気中のホルムアルデヒド濃度と、排出した空気中のホルムアルデヒド量を測定した。本装置を用いることにより、ホルムアルデヒド量は２０ｐｐｂから１０ｐｐｂに低減した。
【００１７】
実施例２
４０Ｌ水槽に、２５Ｌ水道水を入れ、ブロアーで０．７ｍ／ｓの風量で空気を、気孔８０％，細孔径１００μｍの長さ３０ｃｍのポリプロピレン製状フィルタからなる散気筒に送り、水中でバブリングした。取り込んだ空気中のホルムアルデヒド濃度と、排出した空気中のホルムアルデヒド量を測定し多結果、本装置を用いることにより、ホルムアルデヒド量は４０ｐｐｂから２０ｐｐｂに低減した。
【００１８】
実施例３
４０Ｌ水槽に、２５Ｌ水道水を入れ、ブロアーで０．７ｍ／ｓの風量で空気を、気孔８０％，細孔径１００μｍの長さ３０ｃｍのポリプロピレン製状フィルタからなる散気筒に送り、水中でバブリングした。また、水槽に、水道水２Ｌ／分を連続的に通液し、排水管から廃棄した。取り込んだ空気中のホルムアルデヒド濃度と、排出した空気中のホルムアルデヒド量を測定した結果、本装置を用いることにより、ホルムアルデヒド量は４０ｐｐｂから１０ｐｐｂに低減した。
【００１９】
比較例１
室内にシャノワールＹＣＤ−３００（日立化成工業株式会社製、商品名）を３時間設置し、設置前のホルムアルデヒド濃度と比較した結果、設置前４０ｐｐｂから３７ｐｐｂに低減した。
【００２０】
【発明の効果】
本発明者らは，大気中の水溶性特定化学物質、特にアルデヒド類またはケトン類を散気筒に通過させ、水中に分散させることにより、効率良くアルデヒド類除去出来る装置を提供するものである。
【００２１】
【図面の簡単な説明】
【図１】本発明のアルデヒド類除去装置の構成図
【符号の説明】
１：水導入管
２：排水管
３：水槽
４：散気筒
５：送気ポンプ
６：大気導入管
７：排気管
【図１】
2005007236.tif 000003